(57)【特許請求の範囲】
【請求項１】
一般管理区域への入室者の個人情報を読み込む第１の読込み装置と、
一般管理区域内で特定の者のみが入室できる特定管理区域への入室者の個人情報を読み込む第２の読込み装置と、
第１の読込み装置からの個人情報が入力される第１の入力部と、第２の読込み装置からの個人情報が入力される第２の入力部と、一般管理区域に入室を許可されている個人情報を記憶している第１の照合情報記憶部と、特定管理区域に入室を許可されている個人情報を記憶する第２の照合情報記憶部と、第１または第２の入力部を介して入力される個人情報が第１または第２の照合情報記憶部に記憶されている個人情報と一致したときに入退室許可信号を出力する判断部とから構成される入退室管理装置と、
一般管理区域の出入口の扉を通常は施錠状態とし、入退室許可信号が入力されると解錠状態となる第１の施錠手段と、
特定管理区域の出入口の扉を通常は施錠状態とし、入退室許可信号が入力されると解錠状態となる第２の施錠手段とからなる入退室管理システムにおいて、
一般管理区域内に設置され、個人情報を読み込む第３の読込み装置と、
特定管理区域への入室が許可されている個人情報を記憶している限定情報記憶部と、
第３の読込み装置からの個人情報と限定情報記憶手段に記憶されている個人情報が一致したときに第１および第２の照合情報記憶部に記憶されている個人情報を書換える書換え判断部を、入退室管理装置に設けたことを特徴とする入退室管理システム。
【請求項２】
一般管理区域からの退室者の個人情報を読み込む第４の読込み装置と、
特定管理区域からの退室者の個人情報を読み込む第５の読込み装置とを設け、
判断部の第１の入力部は、第１および第４の読込み装置からの個人情報が入力され、第２の入力部は、第２および第５の読込み装置からの個人情報が入力されるようにしたことを特徴とする請求項１記載の入退室管理システム。
【発明の詳細な説明】
【０００１】
【発明の属する技術分野】
本発明は、ビル等における入退室管理システムに関し、事務室やテナント等の関係者であれば誰でも入退室が可能な一般管理区域への入退室および、該一般管理区域内に設けられた金庫室や機械室等のように特定の人だけが入室できる特定管理区域への入退室の制限や管理を行なう入退室管理システムに関するものである。
【０００２】
【従来の技術】
図５は、ビルの１フロアを複数の管理区域に区分けして使用している状態を示すもので、事務室やテナントの関係者等であれば誰でも入室可能な一般管理区域Ａと、一般管理区域Ａ内に設けられ、金庫室や機械室のような特定の人だけが入室できる特定管理区域Ｂ１，Ｂ２，Ｂ３，Ｂ４に区分けされている。
【０００３】
図５に示した管理区域への従来の入退室管理システムのブロック図を図７に示す。図７において、１Ａおよび２Ａはカードリーダで、事務室等の関係者であれば入退室が許可される一般管理区域Ａの出入口付近に設置され、一般管理区域Ａに入室または退室しようとする者が所有する磁気カードや非接触カードに書込まれた個人情報を読み込むあるいは、テンキー等の暗証番号を入力する読込み装置であり、１Ａは入室用、２Ａは退出用である。
【０００４】
１Ｂ１，１Ｂ２，１Ｂ３，１Ｂ４および２Ｂ１，２Ｂ２，２Ｂ３，２Ｂ４は、一般管理区域Ａ内で特定の者だけが入退室できる金庫室等の特定管理区域Ｂ１，Ｂ２，Ｂ３，Ｂ４それぞれの出入口付近に設置され、特定管理区域Ｂ１，Ｂ２，Ｂ３，Ｂ４に入室または退室しようとする者が所有する磁気カードや非接触カードからの個人情報を読み込むあるいは、テンキー等の暗証番号を入力する読込み装置である。尚、１Ｂ１〜１Ｂ４は入室用、２Ｂ１〜２Ｂ４は退室用である。ここでは、磁気カードを用いた例を説明するため、１Ａ，２Ａおよび１Ｂ１，１Ｂ２，１Ｂ３，１Ｂ４、２Ｂ１，２Ｂ２，２Ｂ３，２Ｂ４は、カードリーダとする。
【０００５】
また、２０は、カードリーダ１Ａ，２Ａおよび１Ｂ１，１Ｂ２，１Ｂ３，１Ｂ４、２Ｂ１，２Ｂ２，２Ｂ３，２Ｂ４で読取った個人情報をもとに一般管理区域および特定管理区域への入退室を許可する入退室管理装置である。照合情報記憶部４Ａは、一般管理区域Ａへの入退室が許可されているカードの個人情報を記憶し、照合情報記憶部４Ｂは、個人情報毎に入室可能な特定管理区域Ｂ１，Ｂ２，Ｂ３，Ｂ４を記憶している。
【０００６】
このような入退室管理システムにおいては、まず、一般管理区域Ａへの入室者は、入室する際にカードリーダ１Ａに自分の所有するカードの個人情報を読み込ませる。読み込まれた個人情報は、入力部３Ａを介して判断部５に入力され、判断部５にて照合情報記憶部４Ａに記憶された個人情報と比較し、入室が許可されているカードか否かが判断される。個人情報記憶部４Ａに個人情報が記憶された正当なカードであれば、入室が許可され、一般管理区域Ａの出入口の電気錠７Ａが解錠され、一般管理区域Ａへの入室が可能となる。
【０００７】
一般管理区域Ａを退室する際には、カードリーダ２Ａに退室者の所有するカードの個人情報を読み込ませる。読み込まれた個人情報は、入室時と同様に、入力部３Ａを対して判断部５に入力され、判断部５にて照合情報記憶部４Ａに記憶された個人情報と比較され、退室が許可されているカードか否かが判断される。照合情報記憶部４Ａに記憶された正当なカードであれば、退室が許可され、一般管理区域Ａの出入口の電気錠７Ａが解錠され、一般管理区域Ａからの退室が可能となる。
【０００８】
また、特定管理区域Ｂ１への入室者は、入室する際にカードリーダ１Ｂ１に自分の所有するカードの個人情報を読み込ませる。読み込まれた個人情報は、入力部３Ｂを介して判断部５に入力され、判断部５にて照合情報記憶部４Ｂに記憶された個人情報と比較され、特定管理区域Ｂ１への入室が許可されているカードか否かが判断される。照合情報記憶部４Ｂに記憶された正当なカードであれば、入室が許可され、特定管理区域Ｂ１への出入口の電気錠７Ｂ１が解錠され、特定管理区域Ｂ１への入室が可能となる。
【０００９】
特定管理区域Ｂ１を退室する際には、カードリーダ２Ｂ１に退室者の所有するカードの個人情報を読み込ませる。読み込まれた個人情報は、入室時と同様に、入力部３Ｂを介して判断部５に入力され、判断部５にて照合情報記憶部４Ｂに記憶された個人情報と比較し、退室が許可されているカードか否かが判断される。照合情報記憶部４Ｂに記憶された正当なカードであれば、退室が許可され、特定管理区域Ｂ１への出入口の電気錠７Ｂ１が解錠され、特定管理区域Ｂ１からの退室が可能となる。
【００１０】
いずれの場合も、判断部５はカードリーダ１Ａ，２Ａおよび１Ｂ，２Ｂから読み込まれた個人情報が照合情報記憶部４Ａおよび４Ｂに記憶されたデータと一致しなかった場合は、入退室を禁止、つまり、電気錠７Ａおよび７Ｂ１を施錠状態のまま保持する。さらに、判断部５は、ＣＲＴやスピーカなどの報知手段８に不一致信号を出力し、操作者に対して入室が不可であることを報知する。
【００１１】
また、照合情報記憶部４Ｂは、個人情報毎に入室が許可されている特定管理区域が記憶されているため、読み込まれた個人情報に応じて、入室できる特定管理区域Ｂ１，Ｂ２，Ｂ３，Ｂ４の設定を行うことができる。
【００１２】
【発明が解決しようとする課題】
上記入退室管理システムにおいて、一般管理区域Ａのみに入室することが許可されている者には、一般管理区域Ａに入室するための情報が書込まれたカードのみを渡し、特定管理区域Ｂに入室が許可されている者には、一般管理区域Ａに入室するための個人情報が書込まれたカードと、特定管理区域Ｂに入室するための個人情報が書込まれたカードの２枚のカードを渡していた。
【００１３】
また、１枚のカードで一般管理区域Ａおよび特定管理区域Ｂの両方へ入室するために、一般管理区域Ａに入室することができる個人情報に特定管理区域Ｂへ入室することができる個人情報を付加して１枚のカードに書込んだものがあった。
さらに、カードに１枚毎に個別の情報を書込み、カードに書込まれた個別の情報に応じて入退室管理装置が特定管理区域Ｂへ入室できるものか否かを判断するようにしたものがあった。
【００１４】
しかし、上記従来の入退室管理システムにおいては、特定管理区域Ｂへ入室するための個人情報が書込まれたカードを管理区域外に持ち出すことが可能で、一般管理区域外でカードを紛失し、本来管理区域への入室が許可されていない第三者の手に渡ってしまった場合に、一般管理区域さらに特定管理区域への不正な入室が行われる虞があった。
【００１５】
本発明の入退室管理システムは、特定管理区域Ｂに入室するための個人情報が書込まれカードが管理区域外へ持ち出されることを防ぐことを目的としている。
【００１６】
【課題を解決するための手段】
上記従来の問題点を解決するために、本発明の請求項１の発明の入退室管理システムは、
一般管理区域への入室者の個人情報を読み込む第１の読込み装置と、
一般管理区域内で特定の者のみが入室できる特定管理区域への入室者の個人情報を読み込む第２の読込み装置と、
第１の読込み装置からの個人情報が入力される第１の入力部と、第２の読込み装置からの個人情報が入力される第２の入力部と、一般管理区域に入室を許可されている個人情報を記憶している第１の照合情報記憶部と、特定管理区域に入室を許可されている個人情報を記憶する第２の照合情報記憶部と、第１または第２の入力部を介して入力される個人情報が第１または第２の照合情報記憶部に記憶されている個人情報と一致したときに入退室許可信号を出力する判断部とから構成される入退室管理装置と、
一般管理区域の出入口の扉を通常は施錠状態とし、入退室許可信号が入力されると解錠状態となる第１の施錠手段と、
特定管理区域の出入口の扉を通常は施錠状態とし、入退室許可信号が入力されると解錠状態となる第２の施錠手段とからなる入退室管理システムにおいて、
一般管理区域内に設置され、個人情報を読み込む第３の読込み装置と、
特定管理区域への入室が許可されている個人情報を記憶している限定情報記憶部と、
第３の読込み装置からの個人情報と限定情報記憶手段に記憶されている個人情報が一致したときに第１および第２の照合情報記憶部に記憶されている個人情報を書換える書換え判断部を、入退室管理装置に設けたこ構成としている。
【００１７】
また、請求項２の発明入退室管理システムは、請求項１の発明において、一般管理区域からの退室者の個人情報を読み込む第４の読込み装置と、
特定管理区域からの退室者の個人情報を読み込む第５の読込み装置とを設け、
判断部の第１の入力部は、第１および第４の読込み装置からの個人情報が入力され、第２の入力部は、第２および第５の読込み装置からの個人情報が入力されるようにした構成としている。
【００１８】
【発明の実施の形態】
本発明の入退室管理システムの実施例を図面を用いて説明する。
（実施例１）
（１）構成
本発明の入退室管理システムの第１の実施例のブロック図を図１に示す。この例は図５に示した管理区域に適用したもので、前述の図５及び図７において示した同一機能については同じ符号を用いている。
【００１９】
図１及び図５において、１Ａおよび２Ａは、一般管理区域の出入口付近に設置され、一般管理区域への入退室者の個人情報を読取るカードリーダ、１Ｂ１，１Ｂ２，１Ｂ３，１Ｂ４および２Ｂ１，２Ｂ２，２Ｂ３，２Ｂ４は、特定管理区域Ｂ１，Ｂ２，Ｂ３，Ｂ４それぞれの出入口付近に設置され、特定管理区域Ｂ１，Ｂ２，Ｂ３，Ｂ４への入退室者の個人情報を読取るカードリーダである。１２は、カードリーダ１Ａ，２Ａおよび、１Ｂ１〜１Ｂ４、２Ｂ１〜２Ｂ４で読取った個人情報をもとに一般管理区域および特定管理区域への入室を許可する入退室管理装置である。３Ａおよび３Ｂは、それぞれ上記カードリーダ１Ａ，２Ａおよび１Ｂ１〜１Ｂ４、２Ｂ１〜２Ｂ４で読取った個人情報が入力され判断部５へ出力する入力部である。４Ａおよび４Ｂは、それぞれ一般管理区域および特定管理区域の入退室が許可されている個人情報を記憶する照合情報記憶部である。５は、入力部３Ａおよび３Ｂから入力される個人情報と、照合情報記憶部４Ａおよび４Ｂに記憶されているデータとを比較し、一致したときに入退室許可信号を出力し、また、不一致のときに不一致信号を出力する判断部である。６は、読み込まれた個人情報や読み込み操作が行われた時刻などを記憶する操作情報記憶手段である。７Ａおよび７Ｂ１，７Ｂ２，７Ｂ３，７Ｂ４は、入退室管理装置からの入退室許可信号が入力されると解錠される電気錠である。８は、入退室管理装置からの不一致信号が入力されたときに個人情報が不一致であることをカード使用者に報知する報知手段である。９は、一般管理区域内に設けられ、個人情報を書き換えるための個人情報を読取るカードリーダである。４Ｃは、カードの個人情報に応じて、入室することが可能な特定管理区域を記憶する限定情報記憶部である。１１は、カードリーダ９により読み込まれた個人情報と限定情報記憶部４Ｃ及び照合情報記憶部４Ｂに記憶された個人情報を比較し、該個人情報が一致したときに照合情報記憶部４Ａおよび４Ｂに記憶されているデータを書換える書換え判断部である。
【００２０】
次に、本発明の入退室管理システムの動作を図２及び図３の動作フロー図と共に説明する。
（２）入室時の動作
まず、管理区域内へ入室する場合について、図２及び図３を参照しつつ説明する。
【００２１】
入室者は、一般管理区域Ａ内に入室するために、一般管理区域Ａへの入口付近に設置されたカードリーダ１Ａに個人情報を読み込ませる（Ｓ３０）。すると、カードリーダ１Ａから個人情報が出力され、入退室管理装置１２の入力部３Ａに入力される。入力部３Ａに入力された個人情報は判断部５に出力され、操作情報記憶部６に個人情報及び操作時刻が記憶されるとともに（Ｓ３２）、入力部３Ａから入力れた個人情報であるので８Ｓ３８）、照合情報記憶部４Ａに記憶されたデータと比較される（Ｓ４０）。照合情報記憶部４Ａには、一般管理区域への入退室が許可されているカードの個人情報が記憶されており、読み込まれた個人情報が照合情報記憶部４Ａに記憶されている場合は、判断部５にて一般管理区域への入室が許可され、入退室許可信号が出力される（Ｓ４２）。この入退室許可信号は一般管理区域の出入口扉の電気錠７Ａに入力され、電気錠７Ａは解錠状態となる（Ｓ４４）。これにより入室者は一般管理区域への入室が可能となる。
【００２２】
個人情報が照合情報記憶部４Ａに記憶されたデータと不一致の場合には、判断部５は、電気錠７Ａを施錠状態のまま保持するとともに、不一致信号をスピーカやＣＲＴ等の報知手段に出力する（Ｓ４８）。不一致信号が入力された報知手段は、カード使用者に対して個人情報の不一致を報知する。
【００２３】
一般管理区域に入室した入室者が特定管理区域に入室する場合、特定管理区域への入室者は、まず一般管理区域内に設置された書換え用カードリーダ９に入室時に使用したカードの個人情報を読み込ませる（Ｓ３４）。書換えカードリーダ９で読み込まれた個人情報は、書換え判断部１１に入力され、操作情報記憶部６に個人情報及び操作時刻が記憶される（Ｓ３６）。書換え判断部１１は、入力された個人情報が限定情報記憶部４Ｃに記憶されているデータと照合して（Ｓ５２）一致し、かつ照合情報記憶部４Ｂと照合して（Ｓ５４）、照合情報記憶部４Ｂに記憶されていないものであれば、照合情報記憶部４Ａに記憶されている個人情報から、操作された該カードの個人情報を削除するとともに（Ｓ５８）、判断データ記憶部４Ｂに該カードの個人情報を記憶させる（Ｓ６０）。
【００２４】
このとき、該カードの情報が限定情報記憶部４Ｃに記憶されている個人情報と一致しなければ、書換え判断部１１は報知手段に不一致信号を出力し（Ｓ５６）、該カードでの特定管理区域への入室が不可能であることをカード使用者に報知する。
【００２５】
その後、特定管理区域Ｂ１に入室する場合、  カードが特定管理区域へ入室可能なものであれば、特定管理区域の入口付近に設置されたカードリーダ１Ｂ１にカードの個人情報を読み込ませる（Ｓ３０）。カードリーダ１Ｂ１で読み込まれた個人情報は、入力部３Ｂを介して判断部５に入力される。判断部５に入力された個人情報は、操作情報記憶部６に記憶されるとともに（Ｓ３２）、入力部３Ｂから入力された個人情報であるので（Ｓ３８）、照合情報記憶部４Ｂに記憶されたデータと比較される（Ｓ４６）。なお、該カードの個人情報は、書換え用カードリーダ９に個人情報を読み込ませたとき、照合情報記憶部４Ａから削除され、照合情報記憶部４Ｂに記憶されている。つまり、読み込まれた個人情報は照合情報記憶部４Ｂに記憶されており、したがって、判断部５にて特定管理区域への入室が許可され、入退室許可信号が出力される（Ｓ４２）。この入退室許可信号は特定管理区域の出入口扉の電気錠７Ｂ１を解錠する（Ｓ４４）。これにより入室者は特定管理区域への入室が可能となる。
【００２６】
一般管理区域にしか入室できないカードや、特定管理区域に入室できるカードであっても書換え用カードリーダ９に情報を読み込ませていなければ、個人情報は照合情報記憶部４Ｂに記憶されないため、判断部５から不一致信号が出力される（Ｓ４８）。従って、判断部５は、カードリーダ１Ａを操作したときと同様に、電気錠７Ｂ１を施錠状態に保持し、報知手段８により、カード使用者に対して個人情報の不一致を報知する。
【００２７】
従って、特定管理区域に入室する際には、一般管理区域に設置された書換え用カードリーダ９に個人情報を読み込ませ、特定管理区域に入室できるカードか否かを判断した後、特定管理区域に入室可能なカードであれば、照合情報記憶部４Ａおよび４Ｂに記憶されている個人情報を書換える。つまり、照合情報記憶部４Ａに記憶している該カードの個人情報を削除し、照合情報記憶部４Ｂに該カードの個人情報を記憶させることによって、該カードによる特定管理区域への入室を可能とする。
【００２８】
（３）退室時の動作
次に、管理区域を退室する場合について図２及び図３の動作フロー図を参照しつつ説明する。
管理区域を退室するときには、退室者は特定管理区域Ｂ１の出口付近に設置されたカードリーダ２Ｂ１に個人情報を読み込ませる（Ｓ３０）。この個人情報は、入力部３Ｂを介して判断部５へ入力される。この操作は操作情報記憶部６に記憶される（Ｓ３２）。すると判断部５は、入力部３Ｂからの個人情報であるので（Ｓ３８）、個人情報と照合情報記憶部４Ｂに記憶されたデータとを比較し（Ｓ４６）、該個人情報が照合情報記憶部４Ｂに記憶されていれば、判断部５にて特定管理区域からの退室が許可され、入退室許可信号が入力される（Ｓ４２）。この入退室許可信号は特定管理区域の出入口扉の電気錠７Ｂ１に入力され、電気錠７Ｂ１を解錠状態とする（Ｓ４４）。これにより退室者は特定管理区域からの退室が可能となる。なお、上記照合において個人情報が照合情報記憶部４Ｂに記憶されていなければ、不一致信号が出力され報知される（Ｓ４８）。
【００２９】
特定管理区域を退室した退室者が一般管理区域を退室する場合、一般管理区域からの退室者は、まず一般管理区域内に設置された書換え用カードリーダ９に入室時に使用したカードの個人情報を読み込ませる（Ｓ３４）。カードリーダ９で読み込まれた個人情報は、書換え判断部１１に入力され（Ｓ５０）、この操作は操作情報記憶部６に記憶される（Ｓ３６）。書換え判断部１１は、入力された個人情報が照合情報記憶部４Ｂ（Ｓ５４）および、限定情報記憶部４Ｃに記憶されているデータと照合し（Ｓ５２）、それらが一致すれば、照合情報記憶部４Ｂに記憶されている個人情報から、操作された個人情報を削除するとともに（Ｓ６２）、一般管理区域への入退室が許可されているカードの個人情報を記憶する判断データ記憶部４Ａに該カードの個人情報を記憶させる（Ｓ６４）。
【００３０】
その後、一般管理区域の出口付近に設置されたカードリーダ２Ａに該カードの個人情報を読み込ませる（Ｓ３０）。カードリーダ２Ａで読み込まれた個人情報は、入力部３Ａを介して判断部５に入力される。判断部５に入力された個人情報は、操作情報記憶部６に記憶されるとともに（Ｓ３２）、入力部３Ａから入力された個人情報であるので（Ｓ３８）、照合情報記憶部４Ａに記憶されたデータと比較される（Ｓ４０）。該カードの個人情報は、カードリーダ９に個人情報を読み込ませることにより、照合情報記憶部４Ｂから削除され、照合情報記憶部４Ａに記憶されている。つまり、読み込まれた個人情報は照合情報記憶部４Ａに記憶されており、判断部５にて一般管理区域からの退室が許可され、入退室許可信号が出力される（Ｓ４２）。この入退室許可信号は特定管理区域の出入口扉の電気錠７Ａに入力され、電気錠７Ａを解錠状態とする（Ｓ４４）。これにより退室者は一般管理区域からの退室が可能となる。
【００３１】
カード使用者がカードリーダ９にカードの情報を読取込ませずにカードリーダ２Ａに個人情報を読み込ませると、個人情報が照合情報記憶部４Ａに記憶されていないため、判断部５は、カードリーダ１Ａを操作したときと同様に、カード使用者に対して個人情報の不一致を報知し（Ｓ４８）、電気錠７Ａは施錠状態のままになるため、退室者は管理区域から退室することはできない。
【００３２】
従って、一般管理区域から退室する際は、照合情報記憶部４Ａおよび４Ｂに記憶された個人情報は、一般管理区域にのみ入室できる状態に切り換えられたものとなる。管理区域外でカードを紛失し、第三者の手に渡ってしまったとしても、一般管理区域に入室した後、カードリーダ９に個人情報を読み込ませなくては特定管理区域Ｂ１，Ｂ２，Ｂ３，Ｂ４に入室することができない。
【００３３】
（実施例２）
本発明の入退館管理システムの第２の実施例のブロック図を図４に示す。この例は実施例１と同様、図５に示した管理区域に適用したものであり、実施例１において示した同一機能については同じ符号を用いる。
【００３４】
図４に示す第２の実施例の構成は、実施例１で説明した入退室管理システムの構成から、一般管理区域の出入口付近に設置され、一般管理区域からの退室者の個人情報を読み取るカードリーダ２Ａと、特定管理区域Ｂ１，Ｂ２，Ｂ３，Ｂ４それぞれの出入口付近に設置され、特定管理区域からの退室者の個人情報を読み取るカードリーダ２Ｂ１，２Ｂ２，２Ｂ３，２Ｂ４を除いたものである。電気錠７Ａは、管理区域外から一般管理区域へ入室する際は、個人情報の照合により解錠となるが、一般管理区域内からの退室時には個人情報の照合を行なわずに手動により解錠することができるものとする。同様に、電気錠７Ｂ１，７Ｂ２，７Ｂ３，７Ｂ４も、一般管理区域から特定管理区域へ入室する際は、個人情報の照合により解錠となるが、特定管理区域内からの退室時には個人情報の照合を行なわずに手動により解錠することができるものとする。
【００３５】
次に、上記のような構成にした第２の実施例の入退室管理システムの動作を説明する。入室時については、実施例１と同じ動作を行なう。
退室時は、特定管理区域を退室後、実施例１と同様に書換え用カードリーダにカードの個人情報を読み込ませることにより、照合情報記憶部４Ｂに記憶されている個人情報が削除され、照合情報記憶部４Ａに個人情報が記憶される。これにより、次に一般管理区域に入室する際にカードリーダ１Ａにカードの個人情報を読み込ませることにより一般管理区域への入室が可能となる。その後、一般管理区域から退室する。特定管理区域および一般管理区域から退室する際には、電気錠７Ａおよび７Ｂ１は手動で解錠することができる。
【００３６】
ところが、第２の実施例においては、退室者は、書換え用カードリーダ９に個人情報を読み込ませなくても一般管理区域を退室することができる。つまり、特定管理区域に入室することが可能なカードが管理区域外に持ち出されることになる。しかし、このような場合、該カードの個人情報は、照合情報記憶部４Ｂに記憶されており、該カードを管理区域外で紛失し、第３者に渡ったとしても、該カードでは一般管理区域に入室することができない。したがって、特定管理区域にも入室することはできない。また、カードリーダの個数が少なくてすむため、より安価な入退室管理システムとすることができる。
【００３７】
実施例１および２において、限定情報記憶部は、個人情報毎に入室が許可されている特定管理区域を記憶するとしたが、逆に、特定管理区域毎に入室が許可されている個人情報を記憶するようにしてもよい。
なお、入退室時に電気錠７Ａおよび７Ｂ１，７Ｂ２，７Ｂ３，７Ｂ４が解錠状態となった後は、解錠後入退室者が入室または退室するために必要な時間が経過した後に解錠状態とする。また、所定時間が経過しなくても、扉が閉扉状態となったときに施錠状態とするようにしてもよい。
【００３８】
さらに、操作者が正当なものであるか否かの照合のために、ここでは、磁気カードを使用した場合について説明したが、この他に、電波を用いた非接触式のカードや、テンキーにより暗証番号を入力するものを用いたり、これらを組合せて使用することも可能である。
【００３９】
また、限定情報記憶部４Ｃにより、個人情報毎に入室可能な特定管理区域を設定することにより、該個人情報により入室できる特定管理区域を複数設定することも可能である。
図６は管理区域の他の実施例を示すもので、図示の場合、特定管理区域Ｂ３には、特定管理区域Ｂ２を経てのみ入室できるように区分けされている。
このような管理区域における本発明の入退室管理システムにあっては、特定管理区域Ｂ３に入室できる者に対する限定情報記憶部４Ｃに記憶させるデータは、特定管理区域Ｂ２，Ｂ３の入退室が可能なデータとしておくことにより、前述の操作と同様な操作で実施することができる。
【００４０】
【発明の効果】
以上説明したように、本発明の入退室管理装置によれば、特定管理区域Ｂに入室するための情報が書込まれたカード管理区域外へ持ち出されることはないので、一般管理区域外での特定管理区域Ｂへ入室可能なカードの紛失がなくなり、第三者の不正な侵入を防ぐことができる。
【００４１】
また、一般管理区域からと特定管理区域への入室時、及び、一般管理区域からの退出時は必ず書換え用カードリーダにより照合情報を書き換えるようにしているため、書換え用カードリーダを監視員の目の届く位置に配置することにより、入退室の管理をより確実なものにすることができる。
【図面の簡単な説明】
【図１】本発明による入退室管理システムのブロック図である。
【図２】管理区域への入退室時のフローを示す図である。
【図３】書き換え用カードリーダ操作時のフローを示す図である。
【図４】本発明の入退室管理システムの第２の実施例を示す図である。
【図５】管理区域のレイアウトの例を示す図である。
【図６】管理区域のレイアウトの他の例を示す図である。
【図７】従来の入退室管理システムのブロック図である。
【符号の説明】
１Ａ，１Ｂ  入室用カードリーダ
２Ａ，２Ｂ    退室用カードリーダ
３Ａ，３Ｂ  入力部
４Ａ，４Ｂ  照合情報記憶部
４Ｃ  限定情報記憶部
５  判断部
６  操作情報記憶部
７Ａ，７Ｂ  電気錠
８  報知手段
９  書換え用カードリーダ
１１  書換え判断部
１２、２０  入退室管理装置
【図１】
0003678821.tif 000002
【図２】
0003678821.tif 000003
【図３】
0003678821.tif 000004
【図４】
0003678821.tif 000005
【図５】
0003678821.tif 000006
【図６】
0003678821.tif 000007
【図７】
0003678821.tif 000008